(57)【要約】【課題】災時における木質構造材と壁との接合部位の防火区画性能の向上。【解決手段】木質柱１００の側面１０２Ａ（燃代層１３０の外周面１３０Ａ）と壁２００の接合部位１０においては、強化石膏ボードで構成された板材５０に含まれる結晶水（及び自由水）が蒸気として空気中に放出され、この結晶水（及び自由水）の蒸発により熱が吸収される。よって、板材５０の板面５０Ａが接触している木質柱１００の燃代層１３０の温度上昇が抑制され、これにより燃代層１３０の燃焼が抑制される。また、接合部位１０の隙間６０（隙間６２及び隙間６４）が施工誤差等を吸収する。そして、この隙間６０（隙間６２及び隙間６４）に耐火性能を有するロックウール７０及びシーリング材７２が設けられているので、隙間６０（隙間６２及び隙間６４）からの火炎の侵入が防止される。【選択図】図１
2015040431.tif 000002
【特許請求の範囲】
【請求項１】
木材で構成された荷重支持部と、前記荷重支持部の外側に配置された燃止層と、前記燃止層の外側に配置され木材で構成された燃代層と、を有する木質構造材と、
前記木質構造材に接合された防火区画用の壁と、
前記木質構造材と前記壁との接合部位において、前記木質構造材の前記燃代層に板面が接触するように前記壁内に設けられた結晶水を含む板材と、
前記接合部位に形成した隙間に設けられた耐火性能を有する目地材と、
を備える木質構造材と壁との接合構造。
【請求項２】
前記目地材は、
前記板材と前記壁との隙間に挟まれたフェルト材と、
前記板材の外側で、前記壁と前記前記木質構造材との隙間に充填されたシーリング材と、
を有する、
請求項１に記載の木質構造材と壁との接合構造。
【請求項３】
前記燃止層は、木材と前記木材よりも熱慣性の高い燃止部材とで構成されている、
請求項１又は請求項２に記載の木質構造材と壁との接合構造。
【請求項４】
前記木質構造材は、前記壁の上端部に交差して配置された断面矩形状の梁とされ、
前記木質構造材の前記燃代層の三面が前記壁との前記接合部位とされると共に、前記三面にそれぞれ板面が接触するように前記板材が設けられている、
請求項１〜請求項３のいずれか１項に記載の木質構造材と壁との接合構造。
【発明の詳細な説明】
【技術分野】
【０００１】
本発明は、木質構造材と壁との接合構造に関する。
【背景技術】
【０００２】
特許文献１〜特許文献３には、長期荷重を支持するに荷重支持層と、該荷重支持層の外側に配置された燃え止まり層（燃止層）と、該燃え止まり層の外側に配置された木材からなる燃え代層（燃代層）と、とを備える木質構造材に関する技術が開示されている。そして、これら先行技術には、このような木質構造材からなる柱に木質集成梁と木質集成間仕切り壁とを組付けた構成が開示されている。
【０００３】
ここで、燃代層を有する木質構造材は、火災時に燃代層が燃焼することで部材断面が減少する。よって、燃代層を有する木質構造材に防火区画用の壁を取り付けた場合、火災時に燃代層の減少（燃焼）により、壁と木質構造材との間に隙間が生じ、防火区画が成立しなくなる怖れがある。よって、この点において、改善の余地があった。
【先行技術文献】
【特許文献】
【０００４】
【特許文献１】特開２００５−３６４５６号公報
【特許文献２】特開２００５−３６４５７号公報
【特許文献３】特開２００５−４８５８５号公報
【発明の概要】
【発明が解決しようとする課題】
【０００５】
本発明は、火災時における木質構造材と壁との接合部位の防火区画性能を向上させることが課題である。
【課題を解決するための手段】
【０００６】
請求項１の発明は、木材で構成された荷重支持部と、前記荷重支持部の外側に配置された燃止層と、前記燃止層の外側に配置され木材で構成された燃代層と、を有する木質構造材と、前記木質構造材に接合された防火区画用の壁と、前記木質構造材と前記壁との接合部位において、前記木質構造材の前記燃代層に板面が接触するように前記壁内に設けられた結晶水を含む板材と、前記接合部位に形成した隙間に設けられた耐火性能を有する目地材と、を備える。
【０００７】
請求項１に記載の発明では、火災時に板材に含まれる結晶水が蒸気として空気中に放出され、この結晶水の蒸発により熱が吸収される。よって、板材の板面が接触している燃代層の温度上昇が抑制され、これにより燃代層の燃焼が抑制される。
【０００８】
また、接合部位の隙間が施工誤差等を吸収する。そして、この隙間に耐火性能を有する目地材に設けられているので、隙間からの火炎の侵入が防止される。
【０００９】
したがって、火災時における木質構造材と壁との接合部位の防火区画性能が向上する。
【００１０】
請求項２の発明は、前記目地材は、前記板材と前記壁との隙間に挟まれたフェルト材と、前記板材の外側で、前記壁と前記前記木質構造材との隙間に充填されたシーリング材と、を有する。
【００１１】
請求項２に記載の発明では、フェルト材をシーリング材と板材との間に配置する構成と比較し、壁の厚み分だけ、木質構造材の燃代層と板材との接触面積を広くすることができるので、燃代層の燃焼が更に抑制される。したがって、火災時における木質構造材と壁との接合部位の防火区画性能が更に向上する。
【００１２】
請求項３の発明は、前記燃止層は、木材と前記木材よりも熱慣性の高い燃止部材とで構成されている。
【００１３】
請求項３に記載の発明では、熱慣性の高い燃止部材を用いることで、木質構造材の燃え止まり効果が向上する。
【００１４】
請求項４の発明は、前記木質構造材は、前記壁の上端部に交差して配置された断面矩形状の梁とされ、前記木質構造材の前記燃代層の三面が前記壁との前記接合部位とされると共に、前記三面にそれぞれ板面が接触するように前記板材が設けられている。
【００１５】
請求項４に記載の発明では、木質構造材に対して防火区画用の壁を交差して配置することできるので、壁の配置の自由度が向上する。
【発明の効果】
【００１６】
本発明によれば、火災時における木質構造材と壁との接合部位の防火区画性能を向上させることができる。
【図面の簡単な説明】
【００１７】
【図１】本発明の第一実施形態に係る木質柱と壁との接合構造を示す水平断面図である。
【図２】図１の木質柱と壁との接合構造を示す正面図である。
【図３】図１の要部を示す拡大水平断面図である。
【図４】本発明の第二実施形態に係る木質梁と壁との接合構造を示す水平断面図である。
【図５】図４の木質梁と壁との接合構造の梁方向に沿った垂直断面図である。
【図６】図４の木質梁と壁との接合構造の梁方向に沿った水平断面図である。
【図７】変形例の木質柱と壁との接合構造を示す図３に対応する拡大水平断面図である
【発明を実施するための形態】
【００１８】
＜第一実施形態＞
本発明の第一実施形態の木質構造材と壁との接合構造について、図１〜図３を用いて説明する。なお、鉛直方向をＺ方向とし、水平方向における直交する二方向をＸ方向及びＹ方向とする。
【００１９】
（全体構成）
まず、全体構成について説明する。
【００２０】
図１及び図２に示すように、木質構造材の一例としての耐火性能を有する断面矩形状の木質柱１００の側面１００Ａに、耐火性能を有する防火区画用の壁２００が接合されている。これにより図１に示す壁２００（及び木質柱１００）の面外方向の外側の空間Ｋ１と空間Ｋ２とが防火区画されている。
【００２１】
なお、防火区画とは、建築基準法に定められた区画で、火災時に火炎が急激に燃え広がることを防ぐためのものである。また、準耐火建築物及び耐火建築物に求められるもので、技術的基準は建築基準法施行令第１１２条に定められている。
【００２２】
（木質柱）
つぎに、木質柱１００について説明する。
【００２３】
図１に示すように、木質柱１００は、心材部（荷重支持部）１１０と、心材部１１０の外側に配置された燃止層（燃え止まり層）１２０と、燃止層１２０の外側に配置された燃代層（燃え代層）１３０と、を有している。なお、燃代層１３０の外周面１３０Ａが、木質柱１００の側面１００Ａを構成している。
【００２４】
心材部１１０は、木質柱１００が負担する荷重を支持可能に構成されている。燃止層１２０は、心材部１１０の外側（外周）に、心材部１１０を囲むように配置されている。燃止層１２０は、火災時における燃代層１３０の燃焼を停止（自然鎮火）させ、心材部１１０の燃焼を抑制する層である。この燃止層１２０は、心材部１１０の外周面に沿って配置される木製部１２４と、燃止部材（高熱容量部）の一例としてのモルタル板１２２と、で構成されている。
【００２５】
モルタル板１２２は、断面略矩形の板状に形成されており、長手方向を木質柱１００の軸方向（Ｚ方向）として配置されている。また、モルタル板１２２は、モルタルを硬化させたものであり、心材部１１０、木製部１２４及び燃代層１３０よりも熱容量が大きい。そして、モルタル板１２２と木製部１２４とを心材部１１０の外周面１１０Ａに沿って交互に配置することにより、燃止層１２０の熱容量が心材部１１０及び燃代層１３０の熱容量よりも大きくなるように構成されている。
【００２６】
燃止層１２０の外側（外周）には、燃止層１２０を囲むように燃代層１３０が配置されている。燃代層１３０は、火災時に燃焼して炭化層（断熱層）を形成することにより、心材部１１０への火災熱の浸入を抑制する層であり、この燃代層１３０の厚み（層厚）は、木質柱１００に求められる要求耐火性能（耐火時間）や燃代層１３０の燃焼速度及び遮熱性能に応じて適宜設定されている。
【００２７】
心材部１１０、燃止層１２０の木製部１２４、及び燃代層１３０は、木材によって形成されていればよい。なお、本実施形態の木質柱１００は、木材を板状や角柱状等の単材に加工し、この単材を複数集成し単材同士を接着剤により接着して一体化することによって形成されている。
【００２８】
また、本実施形態では、燃止層１２０の木製部１２４を構成する木材は、心材部１１０を構成する木材及び燃代層１３０を構成する木材よりも、熱慣性が高い木材で形成されている。更に、モルタル板１２２は、燃止層１２０の木製部１２４を構成する木材よりも熱慣性が高い。
【００２９】
熱慣性とは、部材の温度変化に対する抵抗の度合いを示す指標（尺度）であり、下記式（１）のように、熱伝導率ｋ、密度ρ、比熱ｃの積の平方根で表される。この熱慣性が高くなると部材が燃え難くなり、低くなると部材が燃え易くなる。
【００３０】
【数１】
2015040431.tif 000003
ただし
ρ：密度（ｋｇ／ｍ３）
ｃ：比熱（ｋＪ／ｋｇＫ）
ｋ：熱伝導率（ｋＷ／ｍＫ）
である。
【００３１】
本実施形態では、心材部１１０を構成する木材及び燃代層１３０を構成する木材がスギ（杉）で構成されており、燃止層１２０の木製部１２４を構成する木材がスギよりも高密度で熱慣性が高いカラマツ（唐松）で構成されている。これにより、燃止層１２０の木製部１２４がスギで構成されている場合と比較して、火災時に隣接するモルタル板１２２との間から心材部１１０へ浸入する火災熱が低減されるようになっている。
【００３２】
なお、本実施形態では、上述したように心材部１１０を構成する木材及び燃代層１３０を構成する木材がスギ（杉）で構成され、燃止層１２０の木製部１２４を構成する木材がカラマツ（唐松）で構成されているが、これに限定されるものではない。例えば、心材部１１０、燃代層１３０、及び燃止層１２０が、カラマツ（唐松）で構成されていてもよい。
【００３３】
熱慣性が低い木材（低熱慣性木材）としては、例えば、バルサ、キリ、ベイスギ、スプルースが挙げられ、熱慣性が高い木材（高熱慣性木材）としては、例えば、ベイヒバ、ベイマツ、カラマツ、カツラ、ナラ、ケヤキ、ジャラ、セランガンバツ、イペ、ボンゴシが挙げられる。また、高熱慣性木材としては、人工的に圧縮することにより密度を高めた木材や、密度調整材（例えばシリコン系樹脂、フェノール樹脂、ポリエチレングリコール等）を注入した木材等が挙げられる。
【００３４】
また、熱慣性の調整は、木材の熱伝導率によっておこなってもよく、密度及び熱伝導率を組み合わせておこなってもよい。密度の調整は、樹種の選択、圧縮加工、密度調整剤の注入などによっておこなうことができ、熱伝導率の調整は、繊維の方向を変えることによっておこなうことができる。
【００３５】
なお、心材部１１０を構成する木材、燃代層１３０を構成する木材、及び燃止層１２０の木製部１２４は、上記以外の一般の木造建築に用いられる一般木材で構成されていてもよい。
【００３６】
また、燃止層１２０は、木製部１２４とモルタル板１２２とが交互に配置された構成であるが、これに限定されない。モルタル板以外の燃止部材、例えば、石膏ボードと木製部とが交互に配置された構成であってもよい。更に、火炎及び熱の進入を抑えて燃え止まり効果を発揮できる層であればどのような構成であってもよい。例えば、モルタル板や石膏ボード等の燃止部材のみで構成されていてもよいし、難燃薬剤を注入して不燃化処理した木製部（木材）のみで構成されていてもよい。
【００３７】
別の観点から説明すると、燃止層１２０は、難燃性を有する層や熱の吸収が可能な層であればよい。また、難燃性を有する層と、熱の吸収が可能な層と、を組み合わせて（例えば、難燃性を有する層と、熱の吸収が可能な層とを交互に配置して）燃止層１２０を形成してもよい。
【００３８】
なお、難燃性を有する層としては、前述した木材に難燃薬剤を注入して不燃化処理した難燃薬剤注入層が挙げられる。
【００３９】
また、熱の吸収が可能な層は、一般木材よりも熱容量が大きな材料、一般木材よりも断熱性が高い材料、又は一般木材よりも熱慣性が高い材料、これらの材料と一般木材とを組み合わせなどが、挙げられる。
【００４０】
また、一般木材よりも熱容量が大きな材料としては、モルタル、石材、ガラス、繊維補強セメント、石膏等の無機質材料、各種の金属材料などが挙げられる。
【００４１】
また、一般木材よりも断熱性が高い材料としては、けい酸カルシウム板、ロックウール、グラスウールなどが挙げられる。一般木材よりも熱慣性が高い材料としては、セランガンバツ、ジャラ、ボンゴシ等の木材が挙げられる。
【００４２】
更に、上記と重複した記載となる場合があるが、燃止層１２０には、不燃木材、珪酸カルシウム板、ロックウール、グラスウール等の断熱材を採用することもできる。不燃木材としては、例えば、株式会社ＴＫマテリアルズが販売するもの（国土交通大臣認定番号ＮＭ−１６８）等を使用することができる。また、コンクリート、モルタル、石材、ガラス、繊維補強セメントなどの無機質材料、鉄筋などの鉄、ステンレスなどの金属材料を木材の断面及び長さに合わせて予め成形したもの、同一断面の中空矩形状断面の鋼管等のパイプ内に無機材料、液体金属、水、無機水和塩、消石灰等の蓄熱材料を充填して一体化したものからなる高熱容量材を使用することができる。また、これら断熱材と高熱容量材とを組み合わせてもよいし、これら断熱材及び高熱容量材と木製材と組み合わせてもよい。
【００４３】
（防火区画用の壁）
つぎに、防火区画用の壁２００について説明する。
【００４４】
図１に示すように、防火区画用の壁２００は、二枚の強化石膏ボード２１２Ａ，２１２Ｂを貼り合わせた耐火ボード２１０が面外方向（Ｙ方向）に間隔をあけて設けられ、これら耐火ボード２１０の間に鉛直方向（Ｚ方向）を長手方向として配置されたスタッド２０２（図２も参照）がＸ方向に間隔をあけて設けられた構造となっている。
【００４５】
各スタッド２０２は、軽鉄製のＣ形鋼とされており、各スタッド２０２の下端部は、構造物の躯体を構成するスラブ（図示略）に設けられたランナー（図示略）に、ビスやタップネジ等で固定されることで支持されている。そして、各スタッド２０２に図示していないビスやタップネジ等で耐火ボード２１０が固定されている。
【００４６】
ここで、石膏ボードは、石膏を主成分とした素材を板状にして特殊な用紙で包んで構成された耐火ボードであり、強化石膏ボードは石膏の芯にガラス繊維などを加えて耐火性能を強化した耐火ボードである。なお、石膏は硫酸カルシウム２水和物のため多量の結晶水を含んでおり、炎や熱に晒されると、この結晶水が蒸気として空気中に放出される。そして、この結晶水の蒸発により熱が吸収されることによって、断熱（又は遮熱）効果や耐火性能が発揮される。
【００４７】
（接合部位）
つぎに、図１〜図３に示す木質柱１００の側面１００Ａ（燃代層１３０の外周面１３０Ａ）と壁２００の接合部位１０について説明する。
【００４８】
図３に示すように、接合部位１０では、壁２００を構成する耐火ボード２１０は、木質柱１００の側面１００Ａ（燃代層１３０の外周面１３０Ａ）から隙間（目地部）６０をあけて配置されている。
【００４９】
なお、面外方向外側の強化石膏ボード２１２Ａの端部２１２ＡＴよりも面外方向内側の強化石膏ボード２１２Ｂの端部２１２ＢＴの方が木質柱１００から離れている。つまり、二枚の強化石膏ボード２１２Ａの端部２１２ＡＴ及び強化石膏ボード２１２Ｂの端部２１２ＢＴは、Ｘ方向にずれて配置され段差が形成されている。
【００５０】
また、面外方向外側の強化石膏ボード２１２Ａの端部２１２ＡＴと木質柱１００の側面１００Ａ（燃代層１３０の外周面１３０Ａ）との隙間を隙間６２とし、面外方向内側の強化石膏ボード２１２Ｂの端部２１２ＢＴと木質柱１００の側面１００Ａ（燃代層１３０の外周面１３０Ａ）との隙間を隙間６４とする。
【００５１】
壁２００の内部には、木質柱１００の側面１００Ａ（燃代層１３０の外周面１３０Ａ）に板面５０Ａが接触するように板材５０が設けられている。なお、板材５０は、図示していないビスやタップネジ等で木質柱１００に固定されている。また、板材５０は、壁２００を構成する強化石膏ボード２１２Ａ，２１２Ｂと同様、多量の結晶水を含む強化石膏ボードで構成されている。
【００５２】
板材５０の端部５０Ｔは、面外方向内側の強化石膏ボード２１２Ｂの端部２１２ＢＴと木質柱１００の側面１００Ａ（燃代層１３０の外周面１３０Ａ）との隙間６４に配置されている。
【００５３】
板材５０の端部５０Ｔと強化石膏ボード２１２Ｂの端部２１２ＢＴとの間に耐火性能を有するフェルト状のロックウール７０が挟まれている。また、板材５０の端部５０Ｔの外側で、面外方向外側の強化石膏ボード２１２Ａの端部２１２ＡＴと木質柱１００の側面１００Ａ（燃代層１３０の外周面１３０Ａ）との隙間６２に耐火性能を有するシーリング材７２が充填されている（図１も参照）。
【００５４】
なお、この隙間（目地部）６０（隙間６２及び隙間６４）が、木質柱１００の側面１００Ａ（燃代層１３０の外周面１３０Ａ）と壁２００との接合部位１０における各種施工誤差等を吸収する。
【００５５】
（作用及び効果）
つぎに、本実施形態の作用及び効果について説明する。
【００５６】
木質柱１００では、荷重を支持する心材部１１０が燃止層１２０及び燃代層１３０によって被覆されている。したがって、火災時には、先ず、燃代層１３０が徐々に燃焼して燃止層１２０の周囲に炭化層（断熱層）を形成する。これにより、燃止層１２０及び心材部１１０へ浸入する火災熱が低減される。さらに、燃止層１２０によって、燃代層１３０の燃焼を停止（自然鎮火）させることができる。したがって、火災終了後も心材部１１０に荷重を支持させることができる。また、燃止層１２０に、熱慣性の高いモルタル板１２２を用いているので、高い燃え止まり効果を有する。
【００５７】
一方、耐火区画用の壁２００は、強化石膏ボード２１２Ａ，２１２Ｂに含まれる結晶水（及び自由水）が蒸気として空気中に放出される。そして、この結晶水（及び自由水）の蒸発により熱が吸収され、これにより耐火性能が発揮される。
【００５８】
更に、木質柱１００の側面１０２Ａ（燃代層１３０の外周面１３０Ａ）と壁２００の接合部位１０においては、強化石膏ボードで構成された板材５０に含まれる結晶水（及び自由水）が蒸気として空気中に放出され、この結晶水（及び自由水）の蒸発により熱が吸収される。よって、板材５０の板面５０Ａが接触している木質柱１００の燃代層１３０の温度上昇が抑制され、これにより燃代層１３０の燃焼が抑制される。
【００５９】
また、施工誤差等を吸収する接合部位１０の隙間６０（隙間６２及び隙間６４）には、耐火性能を有するロックウール７０及びシーリング材７２が設けられているので、隙間６０（隙間６２及び隙間６４）からの火炎の侵入が防止される。
【００６０】
したがって、火災時における木質柱１００と壁２００との接合部位１０に隙間が生じ防火区画が成立しなくなることが抑制される、つまり、接合部位１０の防火区画性能が向上する。
【００６１】
また、板材５０の端部５０Ｔは、面外方向内側の強化石膏ボード２１２Ｂの端部２１２ＢＴと木質柱１００の側面１００Ａ（燃代層１３０の外周面１３０Ａ）との隙間６４に配置され、板材５０の端部５０Ｔと強化石膏ボード２１２Ｂの端部２１２ＢＴとの間に耐火性を有するフェルト状のロックウール７０が挟まれている。
【００６２】
よって、ロックウール７０がシーリング材７２と板材５０の端部５０Ｔとの間に配置されている構成（例えば、後述する図７に示す変形例）と比較し、強化石膏ボード２１２Ｂの厚み分だけ、燃代層１３０の外周面１３０Ａと板材５０の板面５０Ａとの接触面積を広くすることができるので、燃代層１３０の燃焼が更に抑制される。したがって、火災時における接合部位１０の防火区画性能が更に向上する。
【００６３】
＜第二実施形態＞
本発明の第二実施形態の木質構造材と壁との接合構造について、図４〜図６を用いて説明する。なお、鉛直方向をＺ方向とし、水平方向における直交する二方向をＸ方向及びＹ方向とする。また、第一実施形態と同一に部材には同一の符号を付し、重複する説明は省略する。
【００６４】
（全体構成）
まず、全体構成について説明する。
【００６５】
図４〜図６に示すように、耐火性能を有する防火区画用の壁２００の上端部に、木質構造材の一例としての耐火性能を有する断面矩形状の木質梁１０２が直交し、木質梁１０２三つの側面１０２Ａ，１０２Ｂ，１０２Ｃに壁２００が接合されている。これにより壁２００（及び木質梁１０２）の面外方向の外側の空間Ｋ１と空間Ｋ２とが耐火区画されている。
【００６６】
（木質梁）
つぎに、木質梁１０２について説明する。
【００６７】
図１に示すように、木質梁１０２は、心材部（荷重支持部）１１０と、心材部１１０の外側に配置された燃止層１２０と、燃止層１２０の外側に配置された燃代層１３０と、を有している。燃代層１３０の外周面１３０Ａが、木質梁１０２の三つの側面１０２Ａ、１０２Ｂ，１０２Ｃを構成している。
【００６８】
なお、木質梁１０２は、第一実施形態の木質柱１００（図１参照）とは、心材部（荷重支持部）１００の上面を除く三面の外側に燃止層１２０及び燃代層１３０とが設けられている以外は、同様の構造であるので、詳しい説明を省略する。
【００６９】
（防火区画用の壁）
防火用の壁２００は、木質梁１０２との接合部位１２を除いて、第一実施形態と同様の構造であるので、説明を省略する。
【００７０】
（接合部位）
つぎに、図４〜図６に示す木質梁１０２の三つの側面１０２Ａ、１０２Ｂ，１０２Ｃ（燃代層１３０の外周面１３０Ａ）と壁２００の接合部位１２について説明する。
【００７１】
図４に示すように、接合部位１２では、木質梁１０２の三つの側面１０２Ａ，１０２Ｂ，１０２Ｃに壁２００が接合されている。また、この三つの側面１０２Ａに板面５０Ａが接触するように、壁２００の内部に板材５０が設けられている。
【００７２】
なお、接合部位１２の各側面１０２Ａ，１０ＣＢ，１０２Ｃにおける側面と直交する断面の詳細構造は、第一実施形態の図３と同様の構造である。よって、詳しい説明は省略する。
【００７３】
（作用及び効果）
つぎに、本実施形態の作用及び効果について説明する。
【００７４】
第一実施形態と同様に、木質梁１０２の側面１０２Ａ、１０２Ｂ，１０２Ｃ（燃代層１３０の外周面１３０Ａ）と壁２００の接合部位１２においては、強化石膏ボードで構成された板材５０に含まれる結晶水（及び自由水）が蒸気として空気中に放出され、この結晶水（及び自由水）の蒸発により熱が吸収される。よって、板材５０の板面５０Ａが接触している木質梁１０２の燃代層１３０の温度上昇が抑制され、これにより燃代層１３０の燃焼が抑制される。
【００７５】
また、木質梁１０２の側面１０２Ａ、１０２Ｂ，１０２Ｃ（燃代層１３０の外周面１３０Ａ）と壁２００との接合部位１２における施工誤差等を吸収する隙間６０（隙間６２及び隙間６４）には、耐火性能を有するロックウール７０及びシーリング材７２が設けられているので、隙間６０からの火炎の侵入が防止される。
【００７６】
したがって、火災時における木質梁１０２の側面１０２Ａ、１０２、１０２Ｃ（燃代層１３０の外周面１３０Ａ）と壁２００の接合部位１２の防火区画性能が向上する。
【００７７】
また、木質梁１０２に対して防火区画用の壁２００を直交（交差）して配置することできるので、壁２００の配置の自由度が向上する。
【００７８】
（その他）
本実施形態では、防火区画用の壁２００の上端部に木質梁１０２が直交していたが、これに限定されない。例えば、壁２００の上端部に木質梁１０２が斜めに交差した構成であってもよい。
【００７９】
また、防火区画用の壁２００の上端部の上に木質梁１０２が同方向に配置されて接合された構成であってもよい。つまり、図１の木質柱１００が木質梁１０２となり、Ｘ方向が鉛直方向（Ｚ方向）になったような構成であってもよい。
【００８０】
＜変形例＞
図７に示す変形例では、ロックウール７０がシーリング材７２と板材５０の端部５０Ｔとの間に配置されている。そして、ロックウール７０が、シーリング材７２のバックアップ材として機能する。
【００８１】
＜その他＞
尚、本発明は上記実施形態に限定されない。
【００８２】
上記実施形態では、板材５０は、強化石膏ボードで構成されていたが、これに限定されない。強化石膏ボード以外の石膏ボードであってもよい。また、石膏ボード以外のボード、例えば、木毛セメント板であってもよい。要は、結晶水を含む板材であればよい。
【００８３】
また、木質構造部材（上記実施形態では、木質柱１００及び木質梁１０２）と壁との接合部位における施工誤差等を吸収する隙間には、目地材として耐火性能を有するロックウール７０及びシーリング材７２が設けられていたが、これに限定されない。例えば、シーリング材のみが設けられた構成であってもよい。或いは、その他、耐火性能を有る目地材であってもよい。
【００８４】
また、上記実施形態では、防火区画用の壁２００は、二枚の強化石膏ボード２１２Ａ、２１２Ｂを貼り合わせた耐火ボード２１０を面外方向（Ｙ方向）に間隔をあけて設けられた構造であったが、これに限定されない。一枚のボードからなる耐火ボードであってもよいし、三枚以上のボードを貼り合わせた耐火ボードであってもよい。更に、その他、耐火区画が可能な性能を有する壁であれば、どのような構造や材質の壁であってもよい。
【００８５】
そして、どのような構造や材質の壁であっても、木質構造材と壁との接合部位において、木質構造材の燃代層に板面が接触するように結晶水を含む板材が壁内に設けられると共に、接合部位に形成した隙間（目地部）に耐火性能を有する目地材が設けられていればよい。
【００８６】
また、本発明の要旨を逸脱しない範囲において種々なる態様で実施し得ることは、言うまでもない
【符号の説明】
【００８７】
１０      接合部位
１２      接合部位
５０      板材
５０Ａ    板面
６０      隙間
６２      隙間
６４      隙間
７０      フェルト材（目地材の一例）
７２      シーリング材（目地材の一例）
１００      木質柱（木質構造材の一例）
１０２      木質梁（木質構造材の一例）
１１０      心材部（荷重支持部の一例）
１２０      燃止層
１２２      モルタル板（燃止部材の一例）
１２４      木製部
１３０      燃代層
２００      壁
【図１】
2015040431.tif 000004
【図２】
2015040431.tif 000005
【図３】
2015040431.tif 000006
【図４】
2015040431.tif 000007
【図５】
2015040431.tif 000008
【図６】
2015040431.tif 000009
【図７】
2015040431.tif 000010